(57)【要約】【課題】ヒートシンクによる電子回路部品の放熱効果を損なうことなく、電子回路部品に対するヒートシンクの着脱を容易に行うことができる遊技機用基板収容ケースを提供する。【解決手段】表示制御回路装置１６を保持する下ケース部２１と、下ケース部２１に被さることによって表示制御回路装置１６を覆う上ケース部２２と、上ケース部２２に移動自在に保持されたヒートシンク３０と、ヒートシンク３０を表示制御回路装置３０上のＣＰＵ３５に向けて付勢するコイルバネ３１とを備え、上ケース部２２を下ケース部２１に被せると、ヒートシンク３０が、コイルバネ３１の付勢に抗して移動しながらＣＰＵ３５に当接するようにする。【選択図】        図５
2006149848.tif 000002
【特許請求の範囲】
【請求項１】
遊技機の遊技動作を制御する電子回路部品が組み込まれた回路基板を収容する遊技機用基板収容ケースにおいて、
前記回路基板を保持する下ケース部と、
前記下ケース部に被さることによって前記回路基板を覆う上ケース部と、
前記上ケース部に移動自在に保持された放熱部材と、
前記上ケース部を前記下ケース部に被せた際に前記放熱部材が前記電気回路部品と当接するよう、前記放熱部材を前記電気回路部品に向けて付勢する付勢部材とを備えたことを特徴とする遊技機用基板収容ケース。
【請求項２】
前記上ケース部には、前記下ケース部に前記上ケース部を被せた際における前記電気回路部品と当接した状態の前記放熱部材の近傍に、通気孔が設けられていることを特徴とする請求項１記載の遊技機用基板収容ケース。
【請求項３】
前記下ケース部に前記上ケース部を被せる際に前記放熱部材が移動するのに伴い、前記放熱部材の少なくとも一部が前記通気孔を通って遊技機用基板ケースの外部に移動することを特徴とする請求項２記載の遊技機用基板収容ケース。
【請求項４】
前記上ケース部には前記放熱部材及び前記通気孔の周囲を囲む周壁が設けられていることを特徴とする請求項２または請求項３記載の遊技機用基板収容ケース。
【請求項５】
前記周壁及び前記放熱部材によって、前記回路基板と前記通気孔とが隔離されることを特徴とする請求項４記載の遊技機用基板収容ケース。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用される遊技機であるパチンコ機は、遊技媒体であるパチンコ球に一定の価値が与えられて、遊技を行って獲得したパチンコ球を種々の景品に交換することができる。パチンコ機は、遊技盤の背面や遊技盤を装着させる本体基部に、パチンコ球の供給に基づいて作動させる各種駆動装置及びこれら駆動装置を制御させるために対応させた制御回路装置を備えており、遊技者が遊技を行う際にこれらを適宜作動させることによって遊技を興趣に溢れたものとしている。
【０００３】
最近のパチンコ機の内部に配設されている制御回路装置は、ＣＰＵ（ｃｅｎｔｒａｌ  ｐｒｏｃｅｓｓｉｎｇ  ｕｎｉｔ）、マスクＲＯＭ（ｒｅａｄ  ｏｎｌｙ  ｍｅｍｏｒｙ）といった電子回路部品が組み込まれた回路基板を備え、該ＣＰＵが、該マスクＲＯＭにデータとして記憶されている制御プログラムのデータを逐次読み出して実行することによって、電子制御を行うものが一般的である。
【０００４】
これらの電子回路部品は、処理能力の高まりにつれて発熱量も増大し、その熱によって破損や性能低下などの問題が生じてしまうことがある。この問題に対して、発熱量の大きな部品にはヒートシンクと呼ばれる放熱部材をネジや接着剤を用いて取り付けることが一般的となっている。
【０００５】
遊技場などに設置される遊技機においては、電子回路部品に針金などの導電性の異物を接触させて回路基板を誤動作させる不正行為を防ぐために、回路基板を収容ケースに収容していることが多い。この収容ケースは透明な樹脂などで形成されており、電子回路部品に交換や改造といった不正が加えられたか否かを回路基板を収容ケースから出さずに視認できるようになっている。
【０００６】
収容ケースに収容された回路基板の放熱の問題を解決するために、特許文献１には、収容ケースから突出する架台に回路基板を装着するとともに、該架台を介して熱が収容ケース側に伝導するようにした構成が記載されている。
【特許文献１】特開２００２−３３１１３６
【発明の開示】
【発明が解決しようとする課題】
【０００７】
しかしながら、特許文献１に記載された構成では、回路基板の放熱は行うが、個々の電子回路部品から発せられる熱は回路基板及び架台を介して放熱がなされており、発熱量の大きい電子回路部品にはヒートシンクを直接取り付ける必要がある。ヒートシンクを取り付けた場合、電子回路部品に対して交換や改造といった不正行為が行われても、ヒートシンクの影になってしまうので視認することが難しく、また、ヒートシンクを外すには手間が掛かってしまう。
【０００８】
本発明は、ヒートシンクによる電子回路部品の放熱効果を損なうことなく、電子回路部品に対するヒートシンクの着脱を容易に行うことができる遊技機用基板収容ケースを提供する。
【課題を解決するための手段】
【０００９】
上記目的を達成するために、本発明の遊技機用基板収容ケースは、遊技機の遊技動作を制御する電子回路部品が組み込まれた回路基板を収容するものであって、前記回路基板を保持する下ケース部と、前記下ケース部に被さることによって前記回路基板を覆う上ケース部と、前記上ケース部に移動自在に保持された放熱部材と、前記上ケース部を前記下ケース部に被せた際に前記放熱部材が前記電気回路部品と当接するよう、前記放熱部材を前記電気回路部品に向けて付勢する付勢部材とを備えたことを特徴とするものである。
【００１０】
前記上ケース部には、前記下ケース部に前記上ケース部を被せた際における前記電気回路部品と当接した状態の前記放熱部材の近傍に、通気孔が設けられていることが好適である。
【００１１】
前記下ケース部に前記上ケース部を被せる際に前記放熱部材が移動するのに伴い、前記放熱部材の少なくとも一部が前記通気孔を通って遊技機用基板ケースの外部に移動することが好適である。
【００１２】
前記上ケース部には前記放熱部材及び前記通気孔の周囲を囲む周壁が設けられていることが好適である。
【００１３】
前記周壁及び前記放熱部材によって、前記回路基板と前記通気孔とが隔離されることが好適である。
【発明の効果】
【００１４】
本発明の遊技機用基板収容ケースによれば、下ケース部で回路基板を保持し、上ケース部を下ケース部に被せれば、上ケース部に移動自在に保持された放熱部材が、付勢部材によって電子回路部品と当接した状態となるので、放熱部材を電子回路部品に固着させるための別途の作業を要しない。また、電子回路部品に対して交換や改造といった不正行為が行われたか否かを視認するためには、上ケース部を下ケース部から外せば、放熱部材は上ケース部とともに電子回路部品から離れるので、放熱部材を電子回路部品から取り外すための別途の作業を要しない。このように、放熱部材による電子回路部品の放熱効果を損なうことなく、放熱部材の着脱を容易に行うことができる。
【００１５】
また、上ケース部に、下ケース部に上ケース部を被せた際における電気回路部品と当接した状態の放熱部材の近傍に通気孔を設けることによって、通気孔を介して上ケース部及び下ケース部によって形成された空間に外気を導入し、放熱部材の放熱効果を高めることができる。
【００１６】
また、下ケース部に上ケース部を被せる際に放熱部材が移動するのに伴い、放熱部材の少なくとも一部が通気孔を通って遊技機用基板ケースの外部に移動することによって、放熱部材の放熱効果を高めることができる。
【００１７】
また、上ケース部に、放熱部材及び通気孔の周囲を囲む周壁を設けることによって、通気孔から導電性の異物を挿入して回路基板を誤動作させるなどの不正行為を行いにくくすることができる。
【００１８】
また、周壁及び前記放熱部材によって、回路基板と通気孔とを隔離することによって、通気孔から挿入された導電性の異物が回路基板に接触しないようにし、不正行為を防ぐことができる。
【発明を実施するための最良の形態】
【００１９】
図１に示すように、パチンコ機（遊技機）２は、本体基部３の内部に遊技盤４が配設されており、本体基部３の前面には前面扉５が開閉自在に取り付けられている。前面扉５の下方には、打球供給用の供給皿６及びパチンコ球の打ち出し強さを調節する操作ハンドル８が設けられている。
【００２０】
遊技盤４のパチンコ球が打ち出される遊技領域４ａの略中央には、予め定められた入賞口へパチンコ球を入賞させるなどの所定入賞条件に基づいて遊技中に様々な図柄を所定時間内において変動表示させた後に停止表示させる液晶画面９が設けられている。液晶画面９の周りには、始動入賞口１０、通常入賞口１１、アタッカ１２、アウト口１３、飾り１４が設けられている。
【００２１】
遊技者は、供給皿６に投入したパチンコ球を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球を打ち出す。打ち出されたパチンコ球は遊技領域４ａの上方から流下する途中で各入賞口１０, １１及びアタッカ１２のいずれかに入るか、あるいはアウト口１３から回収される。なお、パチンコ機２の遊技領域４ａに設けられている複数の釘、風車などの構造体は公知であるので説明は省略する。
【００２２】
図２にパチンコ機の背面側の外観を示す。パチンコ機２の本体基部３には、遊技を行う際に各種装置を作動させるための主制御を行う主制御回路装置１５の他に、液晶画面９に表示する図柄の表示制御を行うための電子回路部品が組み込まれた表示制御回路装置（回路基板）１６、パチンコ球を発射する球発射装置１７、パチンコ球の払い出しを制御する球払出制御回路装置１８等がそれぞれ組み付けられている。これら各種装置は、図示しないケーブル等を介して電気的に接続されている。なお、表示制御回路装置１６は基板収容ケース１９に収容され、基板収容ケース１９及び液晶画面９は変動表示ユニット２０としてユニット化される。
【００２３】
変動表示ユニット２０の正面斜視図を図３に、正面分解斜視図を図４に示す。変動表示ユニット２０は、上面を取り除いた箱状の下ケース部２１及び下面を取り除いた箱状の上ケース部２２からなる基板収容ケース１９と、基板収容ケース１９の前面に配置される液晶画面９を覆う前カバー２４と、変動表示ユニット２０を本体基部３の所定位置に固定保持するための保持ベース２５と、液晶画面９、基板収容ケース１９及び前カバー２４をユニット化して保持するナイロン製のジョイントバンド２６とから構成される。
【００２４】
下ケース部２１は、正面にビス締め孔が形成されたボス２１ａ、上下面に門状のゲートとしてのブリッジ２１ｂが設けられている。ボス２１ａは四隅に設けられ、ブリッジ２１ｂは上下面にそれぞれ左右２個ずつ設けられている。この下ケース部２１の後面には、ビス締め孔が形成されたボス２１ｃ（図５に図示）が設けられており、これにネジを用いて取り付けられることによって表示制御回路装置１６は保持される。
【００２５】
上ケース部２２の上面及び下面には、テーパ状の突起２２ａと、ブリッジ２２ｂとがそれぞれ２個ずつ形成されている。
【００２６】
前カバー２４は、その前面に液晶画面９の表示面９ａを露呈するための開口２４ａが形成され、上面及び下面には、テーパ状の突起２４ｂと、切欠き２４ｃとがそれぞれ２個ずつ形成されている。
【００２７】
図４に示すように、ジョイントバンド２６は、下ケース部２１を中心に挟持するように前カバー２４と上ケース部２２とを係合するものであり、開口２６ａと、当接片としての固定部２６ｂとが形成され、上ケース部２２及び前カバー２４の上下面の左右それぞれに設けられたテーパ状の突起２２ａ，２４ｂとブリッジ２１ｂ，２２ｂそれぞれに対応するするように、４個設けられている。開口２６ａは両端部に形成されている。ジョイントバンド２６の一方の先端を下ケース部２１に設けられたブリッジ２１ｂの下に潜らせ、前カバー２４に設けられた突起２４ｃに開口２６ａを挿入して係止させると、固定部２６ｂがブリッジ２１ｂに当接し、ジョイントバンド２６は固定される。同様に残り３個のジョイントバンド２６を固定することにより、前カバー２４と下ケース部２１とは係合した状態で保持される。そして、４つの係止された開口２６ａとは反対側となるジョイントバンド２６のもう一方の先端をブリッジ２２ｂの下に潜らせ、上ケース部２２の上下面の左右それぞれに設けられた突起２２ａにそれぞれ開口２６ａを挿入して係止させると、上ケース部２２が下ケース部に被せられた状態で保持される。
【００２８】
上ケース部２２の、下ケース部２１に被さる側の略中央には、表示制御回路装置１６に向かって２本のボス２２ｃが平行に突設されており、このボス２２ｃにヒートシンク（放熱部材）３０が摺動自在に取り付けられている。ボス２２ｃにはコイルバネ（付勢部材）３１が巻き付けてあり、このコイルバネ３１によって、ヒートシンク３０は表示制御回路装置１６に向かって付勢される。表示制御回路装置１６を保持している下ケース部２１に上ケース部２２を被せると、コイルバネ３１によって付勢されたヒートシンク３０が、表示制御回路装置１６上に設置されたＣＰＵ３５に当接する。また、上ケース部２２には、下ケース部２１に上ケース部２２を被せた際におけるＣＰＵ３５と当接した状態のヒートシンク３０の近傍となる部位に通気孔２２ｄが設けられている。
【００２９】
下ケース部２１、上ケース部２２、表示制御回路装置１６、ヒートシンク３０、コイルバネ３１及びＣＰＵ３５の構成を図５の断面図を用いて説明する。なお、図５（ａ）は上ケース部２２を下ケース部２１に被せる直前の状態を示し、図５（ｂ）は上ケース部２２を下ケース部２１に被せた状態を示している。
【００３０】
ヒートシンク３０は、ベース部３０ａ上に多数の放熱フィン３０ｂを配列した形状をしており、ベース部３０ａの左右両縁には上下方向に貫通する孔３０ｃが１つずつ設けられている。ボス２２ｃは段付き軸であり、段つき部２２ｅから先端にかけて一段細くなっている。ボス２２ｃはそれぞれ孔３０ｃに挿通され、ヒートシンク３０はボス２２ｃに沿って摺動自在となっている。ボス２２ｃの先端にはリング３６が固着され、ヒートシンク３０の抜け止めとなっている。段付き部２２ｅとベース部３０ａとの間には、ボス２２ｃの軸方向に伸縮するようにボス２２ｃに巻き付けたコイルバネ３１が設けられている。ベース部３０ａはコイルバネ３１によってボス２２ｃの先端方向に付勢されている。表示制御回路装置１６を保持している下ケース部２１に上ケース部２２を被せると、ヒートシンク３０がコイルバネ３１の付勢に抗してボス２２ｃに沿って移動し、ベース部３０ａがＣＰＵ３５に当接した状態となる。
【００３１】
下ケース部２１、上ケース部２２、表示制御回路装置１６、ヒートシンク３０、コイルバネ３１及びＣＰＵ３５をこのように構成することで、上ケース部２２を下ケース部２１に被せる作業のみで、ヒートシンク３０をＣＰＵ３５と当接した状態とすることができ、ヒートシンク３０をＣＰＵ３５に固着させるための別途の作業を要せず、また、ＣＰＵ３５に対して交換や改造といった不正行為が行われたか否かを視認するためには、上ケース部２２を下ケース部２１から外せば、ヒートシンク３０は上ケース部２３とともにＣＰＵ３５から離れるので、ヒートシンク３０をＣＰＵ３５から取り外すための別途の作業を要しない。したがって、ヒートシンク３０によるＣＰＵ３５の放熱効果を損なうことなく、ＣＰＵ３５に対するヒートシンク３０の着脱を容易に行うことができる。
【００３２】
上記実施形態において、ヒートシンク３０の全体は下ケース部２１及び上ケース部２２からなる基板収容ケース１９内にあったが、ヒートシンクの放熱効果を高めるために、下ケース部２１に上ケース部２２を被せる際にヒートシンク３０が移動するのに伴い、ヒートシンク３０の少なくとも一部が通気孔を通って基板収容ケース１９の外部に移動するようにしても良い。また、ヒートシンク３０を表示制御回路装置１６に向けて付勢する付勢部材としてコイルバネ３１を用いたが、付勢部材としてはこれに限られず、ゴムやスポンジ等の弾性体を用いたり、板バネ等の他の形状のバネを用いるなどしても良い。また、ヒートシンク３０を保持する上ケース部の構成も上記のボスを用いたものに限られず、ヒートシンク３０が上ケース部に移動自在に保持されるものであれば適宜の構成を用いても良い。ヒートシンク３０の放熱フィン３０ｂの先端が上ケース部５０の通気孔５０ａに挿通され、付勢部材に板バネを用いた構成の、下ケース部２１、上ケース部５０、表示制御回路装置１６、ヒートシンク３０、板バネ（付勢部材）５１及びＣＰＵ３５を図６の断面図で示す。なお、図６（ａ）は上ケース部５０を下ケース部２１に被せる直前の状態を示し、図６（ｂ）は上ケース部５０を下ケース部２１に被せた状態を示している。また、図６（ｃ）は、図６（ｂ）におけるＡ−Ａ線にそった断面図である
【００３３】
上ケース部５０には通気孔５０ａが設けられており、通気孔５０ａにヒートシンク３０の放熱フィン３０ｂの先端が全て挿通されている。通気孔５０ａの形状は、挿通されるヒートシンク３０の外形に合わせてあり、ヒートシンク３０の周囲に生じる隙間が上ケース部５０の耐熱性や摩擦抵抗などに応じた最小限のものとなっている。また、上ケース部５０の下ケース部２１に被さる側であって、通気孔５０ａの周囲には、ヒートシンク３０の図中における左右及び奥側を囲む板状の周壁５０ｂが設けられている。周壁５０ｂの、ヒートシンク３０の図中における左右を囲む部分の先端には、ヒートシンク３０の抜け止めとなる抜け止め片５０ｃが、ヒートシンク３０側に張り出すように固着されている。ベース部３０ａの左右両縁の上面と上ケース部５０との間には弓形の板バネ５１が狭持されており、ベース部３０ａは板バネ５１によって表示制御回路装置１６に向けて付勢されている。
【００３４】
表示制御回路装置１６を保持している下ケース部２１に上ケース部５０を被せると、ヒートシンク３０が板バネ５１の付勢に抗して周壁５０ｂに沿って移動し、ベース部３０ａがＣＰＵ３５に当接した状態となる。このとき、放熱フィン３０ｂの通気孔５０ａから突出している部分が増す。即ち、下ケース部２１に上ケース部５０を被せる際にヒートシンク３０が移動するのに伴って放熱フィン３０ｂの一部が通気孔５０ａを通って基板収容ケース１９の外部に移動する。これによって、ヒートシンク３０の放熱効果が高められる。また、周壁５０ｂによって、通気孔５０ａから導電性の異物を挿入して表示制御回路装置１６を誤動作させるなどの不正行為を行いにくくすることができる。
【００３５】
上記実施形態において、表示制御回路装置１６と通気孔５０ａとは隔離されておらず、通気孔５０ａに挿入された導電性の異物が表示制御回路装置１６に接触する場合が考えられる。周壁及びヒートシンクによって、表示制御回路装置１６と通気孔５０ａとが隔離される構成の、下ケース部２１、上ケース部６０、表示制御回路装置１６、ヒートシンク３０、コイルバネ３１及びＣＰＵ３５を図７の断面図で示す。なお、図７（ａ）は上ケース部６０を下ケース部２１に被せる直前の状態を示し、図７（ｂ）は上ケース部６０を下ケース部２１に被せた状態を示している。
【００３６】
上ケース部６０の、下ケース部２１に被さる側の略中央には、表示制御回路装置１６に向かって２本のボス６０ｂが平行に突設されており、このボス６０ｂにヒートシンク３０が摺動自在に取り付けられている。ボス６０ｂにはコイルバネ３１が巻き付けてあり、このコイルバネ３１によって、ヒートシンク３０は表示制御回路装置１６に向かって付勢される。表示制御回路装置１６を保持している下ケース部２１に上ケース部２２を被せると、コイルバネ３１によって付勢されたヒートシンク３０が、表示制御回路装置１６上に設置されたＣＰＵ３５に当接する。
【００３７】
上ケース部６０には通気孔６０ａが設けられており、通気孔６０ａにヒートシンク３０の放熱フィン３０ｂの先端が全て挿通されている。表示制御回路装置１６を保持している下ケース部２１に上ケース部６０を被せると、ヒートシンク３０は、ＣＰＵ３５にベース部３０ａが当接した状態を保持しながら、コイルバネ３１の付勢に抗してボス６０ｂに沿って移動し、放熱フィン３０ｂの通気孔６０ａから突出している部分が増す。即ち、下ケース部２１に上ケース部６０を被せる際にヒートシンク３０が移動するのに伴って放熱フィン３０ｂの一部が通気孔６０ａを通って基板収容ケース１９の外部に移動する。これによって、ヒートシンク３０の放熱効果が高められる。
【００３８】
通気孔６０ａの形状は挿通されるヒートシンク３０の外形に合わせてあり、ヒートシンク３０の周囲に生じる隙間が上ケース部６０の耐熱性や摩擦抵抗などに応じた最小限のものとなっている。また、上ケース部６０の下ケース部２１に被さる側であって、通気孔６０ａの周囲には、ヒートシンク３０の放熱フィン３０ｂが配列された部位の図中における前後左右方向を囲む板状の周壁６０ｃが設けられている。周壁６０ｃは、上ケース部６０を下ケース部２１に被せた際に、周壁６０ｃの先端がベース部３０ａの上面に近接し、周壁６０ｃの先端とベース部３０ａとの間に生じる隙間が上ケース部６０の耐熱性などに応じた最小限のものとなるようになっている。このように構成することで、周壁６０ｃ及びヒートシンク３０によって、表示制御回路装置１６と通気孔６０ａとが隔離されるので、通気孔６０ａから挿入された導電性の異物が表示制御回路装置１９に接触しないようにし、表示制御回路装置１６を誤動作させるなどの不正行為を防ぐことができる。なお、周壁６０ｃの先端にゴムなどを取り付け、このゴムによって周壁６０ｃの先端とベース部３０ａとの間に生じる隙間が埋められるようにしても良く、この場合、表示制御回路装置１６と通気孔６０ａとの隔離性を高度にすることができる。また、周壁６０ｃをヒートシンク３０の図中における前後左右方向の外周を囲むようにしても良く、この場合、上ケース部６０を下ケース部２１に被せた際に、周壁６０ｃの先端がベース部３０ａの外周に近接し、周壁６０ｃの先端とベース部３０ａの上面とに生じる隙間が上ケース部６０の耐熱性などに応じた最小限のものとなるようにすれば良い。
【００３９】
なお、上記実施形態では、上面を取り除いた箱状の下ケース部２１と下面を取り除いた箱状の上ケース部２２，５０，６０とで基板収容ケース１９を構成したが、下ケース部２１及び上ケース部２２，５０，６０の形状はこれに限られず、下ケース部に上ケース部が被さることによって表示制御回路装置が覆われれば良く、例えば板状の下ケース部と下面を取り除いた箱状の上ケース部とで基板収容ケースを構成しても良い。
【００４０】
なお、上記実施形態では、ヒートシンク３０を当接させる電子回路部品はＣＰＵ３５であったが、放熱を行うものはＩＣやＬＳＩなど適宜の電子回路部品でも良い。また、上ケース部に保持されるヒートシンクの数や配置は、上記のものに限られず、電子回路部品の配置に応じて適宜のものとして良い。
【００４１】
上記実施形態では、ヒートシンク３０は放熱フィン３０ｂをベース３０ａ上に配列した形状であったが、ヒートシンクの形状としてはこれに限られず、ベース上に放熱ピンを配列したものなど、電子回路部品と当接することのできる形状であれば適宜の形状として良い。また、ヒートシンクの少なくとも一部を挿通する通気孔の形状も、ヒートシンクの形状に合わせて、例えば、放熱ピンが一本ずつ挿通される複数の孔とするなど、適宜の形状として良い。
【図面の簡単な説明】
【００４２】
【図１】本発明を実施したパチンコ機の外観を示す斜視図である。
【図２】図１に示したパチンコ機の背面側からの外観を示す斜視図である。
【図３】変動表示ユニットを示す斜視図である。
【図４】変動表示ユニットを示す分解斜視図である。
【図５】基板収容ケースの断面図である。
【図６】図５とは別の実施形態の基板収容ケースの断面図である。
【図７】図５及び図６とは別の実施形態の基板収容ケースの断面図である。
【符号の説明】
【００４３】
２  パチンコ機（遊技機）
１６  表示制御回路装置（回路基板）
１９  基板収容ケース
２１  下ケース部
２２，５０，６０  上ケース部
２２ｄ，５０ａ，６０ａ  通気孔
３０  ヒートシンク（放熱部材）
３１  コイルバネ（付勢部材）
３５  ＣＰＵ
５０ｂ，６０ｃ  周壁
５１  板バネ（付勢部材）
【図１】
2006149848.tif 000003
【図２】
2006149848.tif 000004
【図３】
2006149848.tif 000005
【図４】
2006149848.tif 000006
【図５】
2006149848.tif 000007
【図６】
2006149848.tif 000008
【図７】
2006149848.tif 000009